(57)【要約】      （修正有）【課題】逆流の防止可能なストロー構造を提供する。【解決手段】吸引基体とストロー部からなり、吸引端部と入水端部を備えたストロー部が、吸引基体に結合されて固定される。吸引基体において、先端に、吸引部が設けられ、吸引部に、開口されたバルブがあり、吸引基体の後端において、周りに、リング状に突起部が形成され、また、奥へ伸びる嵌合孔が設けられ、嵌合孔の先端に、ストロー部を係止して結合するための、奥へ延びる枢着孔が設けられる。【選択図】図１
0003180237.tif 000002
【実用新案登録請求の範囲】
【請求項１】
吸引基体とストロー部からなり、上記ストロー部が吸引端部と入水端部を備え、吸引基体に結合されて固定されるストローであって、
上記吸引基体において、先端に、吸引部が設けられ、上記吸引部に、開口されたバルブが設けられてあり、上記吸引基体の後端において、周りに、リング状に突起部が形成され、また、奥へ伸びる嵌合孔が設けられ、上記嵌合孔の先端に、上記ストロー部を係止して結合するための、奥へ延びる枢着孔が設けられる
ことを特徴とする逆流の防止可能なストロー構造。
【請求項２】
上記吸引基体全体が、円錐状になり、上記吸引基体内の嵌合孔が、枢着孔よりも大きいことを特徴とする請求項１に記載の逆流の防止可能なストロー構造。
【請求項３】
上記吸引基体とストロー部が、プラスチック材質からなることを特徴とする請求項１に記載の逆流の防止可能なストロー構造。
【請求項４】
上記吸引基体とストロー部のプラスチック材質が、ポリプロピレン材質であることを特徴とする請求項３に記載の逆流の防止可能なストロー構造。
【請求項５】
上記吸引基体とストロー部が、シリカゲルやエマルジョン材質からなることを特徴とする請求項１に記載の逆流の防止可能なストロー構造。
【請求項６】
上記吸引基体とストロー部が、一体成形からなることを特徴とする請求項１に記載の逆流の防止可能なストロー構造。
【請求項７】
上記ストロー部の入水端部が、傾斜面状であることを特徴とする請求項１に記載の逆流の防止可能なストロー構造。
【考案の詳細な説明】
【技術分野】
【０００１】
本考案は、逆流の防止可能なストロー構造に関するものであり、さらに詳しくは、ユーザーが、任意の容器を利用して液体を飲用する場合、容器へ液体が逆流することを防止することができ、細菌の繁殖等に伴なう衛生問題を解決できる逆流防止可能なストロー構造に関するものである。
【背景技術】
【０００２】
図５のように、市販の飲料容器に付けられたストロー構造５は、吸引管５１があり、上記吸引管５１の先端に、ユーザーが液体を飲用することに供される吸引端部５１１があり、また、上記吸引管５１の後端部が、弾性部材５２に挿設され、上記弾性部材５２の一端に、上記吸引管５１の後端部が挿設されて固定されるための枢着孔５２１が形成されている。そして、上記のもう一端に、上記吸引管５１が飲料容器等の飲料容器の底部に当接する力を強化するために、当接部材５２２が設置される。
【０００３】
しかし、上記吸引管５１と弾性部材５２は、挿設されて固定され、また、貫通するため、ユーザーが、液体を飲用した後、口部が、吸引管から離れると、吸い上げられていた液体に唾液が混入されて容器へ逆流するため、細菌の繁殖等の衛生問題が発生するおそれがある。
【０００４】
特開２０００−１６６７３７号公報（特許文献１）には、二重構造のストローが記載されており、屈曲などのトラブルの発生を防止し、消音効果も倍加すると記載されている。
【０００５】
また、特開平１０−２９５５１９号公報（特許文献２）にも二重管タイプのストローが記載されている。
【０００６】
しかし、これらの提案のいずれにも、飲料の逆流防止には何らの開示もない。
【特許文献１】特開２０００−１６６７３７号公報
【特許文献２】特開平１０−２９５５１９号公報
【考案の開示】
【考案が解決しようとする課題】
【０００７】
本考案の課題は、任意の容器を利用して液体を飲用する場合、容器へ液体が逆流することを防止でき、細菌の繁殖等の衛生問題を解決できる逆流の防止可能なストロー構造を提供することにある。
【課題を解決するための手段】
【０００８】
本考案によれば、請求項１において、吸引基体とストロー部からなり、上記ストロー部が、吸引端部と入水端部を備え、吸引基体に結合されて固定されるストローであって、上記吸引基体において、先端に、吸引部が設けられ、上記吸引部に、開口されたバルブがあり、上記吸引基体の後端において、周りに、リング状に突起部が形成され、また、奥へ伸びる嵌合孔が設けられ、上記嵌合孔の先端に、上記ストロー部を係止して結合するための、奥へ延びる枢着孔が設けられることを特徴とする逆流の防止可能なストロー構造が提供される。
【０００９】
請求項２の考案によれば、上記吸引基体全体が、円錐状になり、上記吸引基体内の嵌合孔が、枢着孔よりも大きいことを特徴とする請求項１に記載の逆流の防止可能なストロー構造が提供される。
【００１０】
請求項３の考案によれば、上記吸引基体とストロー部が、プラスチック材質からなることを特徴とする請求項１に記載の逆流の防止可能なストロー構造が提供される。
【００１１】
請求項４の考案によれば、上記吸引基体とストロー部のプラスチック材質が、ポリプロピレン材質であることを特徴とする請求項３に記載の逆流の防止可能なストロー構造が提供される。
【００１２】
請求項５の考案によれば、上記吸引基体とストロー部が、シリカゲルやエマルジョン材質からなることを特徴とする請求項１に記載の逆流の防止可能なストロー構造が提供される。
【００１３】
請求項６の考案によれば、上記吸引基体とストロー部が、一体成形からなることを特徴とする請求項１に記載の逆流の防止可能なストロー構造が提供される。
【００１４】
請求項７の考案によれば、上記ストロー部の入水端部が、傾斜面状であることを特徴とする請求項１に記載の逆流の防止可能なストロー構造が提供される。
【考案の効果】
【００１５】
本考案によれば、上記の通りの構成からなり、飲料の飲用後にストロー構造中に残存した飲料が容器に逆流し混入することを確実に防止することができる。
【考案を実施するための最良の形態】
【００１６】
以下、図面を参照しながら、本考案の特徴や技術内容について、詳しく説明するが、それらの図面等は、参考や説明のためであり、本考案は、それらによって限定されるものではない。
【００１７】
図１と図２のように、本考案は、吸引基体１とストロー部２を有し、
吸引基体１は、全体が、円錐状で、後端に、奥へ伸びる嵌合孔１１が形成され、上記嵌合孔１１の先端に、奥へ伸びる枢着孔が設けられる。また、上記吸引基体１内の嵌合孔１１が、枢着孔１２よりも大きく、そして、上記吸引基体１の先端に、吸引部１３があり、上記吸引部１３に、開口されたバルブ１３１があり、また、上記吸引基体１の後端において、周りに、リング状に、突起部１１１が覆われ、
また、ストロー部２は、全体が、円形状中空状で、先端に、吸引端部２１があり、上記吸引端部２１が、上記吸引基体１の嵌合孔１１内に挿設されて、嵌合孔１１の枢着孔１２に係止されて結合され、また、上記ストロー部２は、後端に、入水端部２２が設けられる。
【００１８】
図３は、本考案の好ましい実施形態であり、上記吸引基体１は、先端に、吸引部１３が設けられ、上記吸引部１３に、開口されたバルブ１３１が設置され、また、上記吸引基体１の後端に、ストロー部２の吸引端部２１が結合されるための嵌合孔１１が設置され、本考案によれば、任意の飲料容器３を利用して液体を飲用することができる。
【００１９】
上記飲料容器３は、カバー３１と容器３２からなり、上記カバー３１は、上槽３１１が形成され、上記上槽３１１に、開閉可能な被覆部材３１３が結合する。また、上記カバー３１に、上記ストロー部２が挿設されるための開口３１２が形成され、上記吸引基体１のリング状突起部１１１に接し、（その他、図４のように、上記カバー３１の上槽３１１に、吸引口３３が設置され、上記吸引基体１の嵌合孔１１と吸引口３３とが嵌合されて接続されるものがある。）、ユーザーが、上記容器３２内の液体を飲用する時、上記液体が、ストロー部２の入水端部２２を経由して上記吸引基体１内へ流れ込む。また、吸引部１３から溢れ出て、この時、上記吸引部１３のバルブ１３１が、吸引力により、開き状態になり、上記バルブ１３１が、開口されて、液体の流量を制御し、ユーザーの口部が吸引部１３から離れると、吸い上げられた液体が、上記バルブ１３１が閉鎖状態になるため、容器３２内へ逆流することなく、細菌の成長等の衛生問題を解消することができる。
【００２０】
また、上記吸引基体１とストロー部２は、プラスチック材質からなり、上記吸引基体１とストロー部２のプラスチック材質は、ポリプロピレン材質であり、また、上記吸引基体１とストロー部２は、シリカゲルやエマルジョン材質から構成される。また、本考案に係る逆流の防止可能なストロー構造は、適用範囲が広く、上記吸引基体１とストロー部２との組立ても、さまざまの方法を利用できる。また、上記吸引基体１とストロー部２は、一体成形からなり、上記吸引基体１に、バルブ１３１が設けてあり、上記吸引基体１は、嵌設結合を利用し、そして、バルブ１３１が設けられ、上記ストロー部２が、上下に挿設された状態の長さを、調整できる。また、上記ストロー部２の入水端部２２が、傾斜面状であるため、密封された飲み物を飲用するとき、その容器に挿設することができ、上記の様々の組立て方式にも、同じ効果が得られる。そして、任意の容器３２を利用して液体を飲用する時、容器３２内への逆流を防止でき、細菌の繁殖等のの衛生問題を解決することができる。
【００２１】
以上は、本考案の好ましい実施形態であり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００２２】
【図１】本考案の一実施形態によるストロー構造の斜視図である。
【図２】本考案の一実施形態によるストロー構造の分解斜視図である。
【図３】本考案の一実施形態によるストロー構造の使用状態図である。
【図４】本考案の一実施形態によるストロー構造の使用状態の分解説明図である。
【図５】従来のストロー構造の斜視図でである。
【符号の説明】
【００２３】
本考案
１  吸引基体
１１  嵌合孔
１１１  リング状突起部
１２  枢着孔
１３  吸引部
１３１  バルブ
２  ストロー部
２１  吸引端部
２２  入水端部
３  飲料容器
３１  カバー
３１１  上槽
３１２  開口
３１３  被覆部材
３２  容器
３３  吸引口
従来
５  従来構造
５１  吸引管
５１１  吸引端部
５２  弾性体部
５２１  枢着孔
５２２  当接部材
【図１】
0003180237.tif 000003
【図２】
0003180237.tif 000004
【図３】
0003180237.tif 000005
【図４】
0003180237.tif 000006
【図５】
0003180237.tif 000007
【手続補正書】
【提出日】平成24年10月5日(2012.10.5)
【手続補正１】
【補正対象書類名】実用新案登録請求の範囲
【補正対象項目名】全文
【補正方法】変更
【補正の内容】
【実用新案登録請求の範囲】
【請求項１】
吸引基体とストロー部からなり、上記ストロー部が吸引端部と入水端部を備え、吸引基体に結合されて固定されるストローであって、
上記吸引基体において、先端に、吸引部が設けられ、上記吸引部に、開閉可能なバルブが設けられてあり、上記吸引基体の後端において、周りに、リング状に突起部が形成され、また、奥へ伸びる嵌合孔が設けられ、上記嵌合孔の先端に、上記ストロー部を係止して結合するための、奥へ延びる枢着孔が設けられる
ことを特徴とする逆流の防止可能なストロー構造。
【請求項２】
上記吸引基体全体が、円錐状になり、上記吸引基体内の嵌合孔が、枢着孔よりも大きいことを特徴とする請求項１に記載の逆流の防止可能なストロー構造。
【請求項３】
上記吸引基体とストロー部が、プラスチック材質からなることを特徴とする請求項１に記載の逆流の防止可能なストロー構造。
【請求項４】
上記吸引基体とストロー部のプラスチック材質が、ポリプロピレン材質であることを特徴とする請求項３に記載の逆流の防止可能なストロー構造。
【請求項５】
上記吸引基体とストロー部が、シリカゲルやエマルジョン材質からなることを特徴とする請求項１に記載の逆流の防止可能なストロー構造。
【請求項６】
上記吸引基体とストロー部が、一体成形からなることを特徴とする請求項１に記載の逆流の防止可能なストロー構造。
【請求項７】
上記ストロー部の入水端部が、傾斜面状であることを特徴とする請求項１に記載の逆流の防止可能なストロー構造。